(57)【要約】      （修正有）【課題】ポットの傾斜を大きくして注いだときに、液体が飛び散るを抑制できるポットを提供する。【解決手段】上向きに開口した容器本体１と、容器本体１の口部に装着され、上向きカップ状の注ぎ口部３と取っ手２を備えた肩部材と、肩部材に着脱自在で、容器本体１内の液体を内部液通路の出口側に形成された液吐出口から吐出可能な栓体１０Ａとを備え、液吐出口が注ぎ口部３の基部上側に開口した保温ポットにおいて、栓体１０Ａの液吐出口の近くから前方へ突出されて注ぎ口部３の上側の空間を基部から先端側の途中まで囲む庇部２０を設け、注ぎ口部３の基部と庇部２０の間の空間に液吐出口が開口するようにした。また庇部２０の先端端縁２１は平面的に見て中央が両側より凹んだ円弧状または楕円弧状に形成した。【選択図】図９
0003218886.tif 000002
【実用新案登録請求の範囲】
【請求項１】
上向きに開口した容器本体と、容器本体の口部に装着され、上向きカップ状の注ぎ口部と取っ手を備えた肩部材と、肩部材に着脱自在で、容器本体内の液体を内部液通路の出口側に形成された液吐出口から吐出可能な栓体とを備え、液吐出口が注ぎ口部の基部上側に開口したポットであって、
栓体の液吐出口の近くから前方へ突出されて注ぎ口部の上側の空間を基部から先端側の途中まで囲む庇部を設け、
注ぎ口部の基部と庇部の間の空間に液吐出口が開口するようにしたこと、
を特徴とするポット。
【請求項２】
庇部の先端端縁が平面的に見て中央が両側より凹んだ弧状に形成されていること、
を特徴とする請求項１記載のポット。
【考案の詳細な説明】
【技術分野】
【０００１】
本考案はポットに係り、とくに注ぎ口からの液体の流出を円滑化したポットに関する。
【背景技術】
【０００２】
コーヒーサーバーなどには、真空二重容器により保温性を高めた保温ポットが用いられている。従来の保温ポットの一例を図１乃至図３に示す。ステンレス製の真空二重壁構造の容器本体１の上端口部に、取っ手２と上向きに開口したカップ状の注ぎ口部３が一体化された肩部材４が嵌着されており、肩部材４の内周側面に形成されたメス螺子部５に着脱自在に螺合可能な栓体１０が装備されている。栓体１０は下部の外周側面に形成されてメス螺子部５と螺合可能なオス螺子部１１、底面に形成された円形の液流入口１２、オス螺子部１１の下側の外周に容器本体１の内側の内、肩部材４の下側に密接するように装着されたリング状のパッキン１３、注ぎ口部３の基部側に開口した液吐出口１４、液流入口１２と液吐出口１４を内部で連通する内部液通路１５、液流入口１２を開閉する弁１６、弁１６の開閉操作を行う操作レバー１７、操作レバー１７の開閉操作に応じて弁１６を開閉動作させる弁開閉機構１８から成る。
【０００３】
使用時、栓体１０を開栓側に回してオス螺子部１１をメス螺子部５から螺退させて容器本体１から外し（図２参照）、コーヒードリッパーからコーヒーを容器本体１にドリップさせたのち、栓体１０を閉栓側に回てオス螺子部１１をメス螺子部５に螺進させて容器本体１に装着する。この際、メス螺子部５とオス螺子部１１に設けたストッパ構造（図示せず）により、螺進の最後に栓体１０の液吐出口１４が注ぎ口部３の基部に正対するように位置決めされる。
保温ポットに貯液さたコーヒーは真空二重壁構造の容器本体１により、高温状態で保存される。
【０００４】
コーヒーカップに注ぐ場合、取っ手２を掴んで保温ポットを持ち上げ、操作レバー１７を押し下げて弁１６を開弁させながら、栓体１０の液流入口１２、内部液通路１５、液吐出口１４を経て注ぎ口部３からコーヒーカップに注げばよい。注ぎ終わったら、操作レバー１７の押し下げを解放すると、弁開閉機構１８の圧縮バネ１９が弁１６を閉弁させる。
【０００５】
ところで、容器本体１の中のコーヒーが少なくなったとき、保温ポットの傾斜角を大きくしてコーヒーを注ぐようにしている。このとき、液吐出口１４から出たコーヒーの一部が液吐出口１４からいきなり空中に飛び散ったり（図４の矢印Ａ参照）、液吐出口１４から出たコーヒーの他の一部が注ぎ口部３の基部の底面に当たって跳ね返り、空中に飛び散ったりして（図４の矢印Ｂ参照）、コーヒーカップの外側にこぼれてしまう欠点があった。
【考案の概要】
【考案が解決しようとする課題】
【０００６】
本考案は上記した従来技術の問題に鑑み、ポットの傾斜を大きくして注いだときに、液体が飛び散るを抑制できるポットを提供することを、その目的とする。
【課題を解決するための手段】
【０００７】
請求項１記載の考案では、
上向きに開口した容器本体と、容器本体の口部に装着され、上向きカップ状の注ぎ口部と取っ手を備えた肩部材と、肩部材に着脱自在で、容器本体内の液体を内部液通路の出口側に形成された液吐出口から吐出可能な栓体とを備え、液吐出口が注ぎ口部の基部上側に開口したポットであって、
栓体の液吐出口の近くから前方へ突出されて注ぎ口部の上側の空間を基部から先端側の途中まで囲む庇部を設け、
注ぎ口部の基部と庇部の間の空間に液吐出口が開口するようにしたこと、
を特徴としている。
請求項２記載の考案では、
庇部の先端端縁が平面的に見て中央が両側より凹んだ弧状に形成されていること、
を特徴としている。
【考案の効果】
【０００８】
本考案によれば、液吐出口から出た液体は最初、庇部の下側内面と注ぎ口部の基部寄りの上側内面に当接して整流されながら注ぎ口部の前部から外部に流出する。従って、容器本体の中の液体が少なくなり、ポットの傾斜角を大きくして注いでも、液吐出口からいきなり空中に飛び散ったり、注ぎ口部の基部寄りの底面に当たって跳ね返り、空中に飛び散ったりせず、庇部と注ぎ口部の基部寄りの間の空間で整流された状態で外部に流出する。
【図面の簡単な説明】
【０００９】
【図１】従来の保温ポットの一例を示す外観斜視図である。
【図２】図１の保温ポットの組み立て図である。
【図３】図１の保温ポットの断面図である。
【図４】図１の保温ポットの問題点の説明図である。
【図５】本考案の一実施例に係る保温ポットの外観斜視図である（実施例１）。
【図６】図５の保温ポットの平面図である。
【図７】図５の保温ポットの組み立て図である。
【図８】図５の保温ポットの断面図である。
【図９】図５の保温ポットの作用説明図である。
【考案を実施するための最良の形態】
【００１０】
以下、本考案の最良の形態を実施例に基づき説明する。
【実施例１】
【００１１】
図５乃至図８を参照して本考案の一実施例を説明する。図５は本考案に係る保温ポットの外観斜視図、図６乃至図８は図５の保温ポットの平面図、組み立て図、断面図である。なお、従来と同一の構成部分には同一の符号が付してある。
図５乃至図８において、ステンレス製の真空二重壁構造の容器本体１の上端口部に、取っ手２と上向きに開口したカップ状の注ぎ口部３が一体化された肩部材４が嵌着されており、肩部材４の内周側面に形成されたメス螺子部５に着脱自在に螺合可能な栓体１０Ａが装備されている。
【００１２】
栓体１０Ａは下部の外周側面に形成されてメス螺子部５と螺合可能なオス螺子部１１、底面に形成された円形の液流入口１２、オス螺子部１１の下側の外周に容器本体１の内側の内、肩部材４の下側に密接するように装着されたリング状のパッキン１３、注ぎ口部３の基部側に開口した液吐出口１４、液流入口１２と液吐出口１４を内部で連通する内部液通路１５、液流入口１２を開閉する弁１６、弁１６の開閉操作を行う操作レバー１７、操作レバー１７の開閉操作に応じて弁１６を開閉動作させる弁開閉機構１８から成る。
【００１３】
栓体１０Ａには液吐出口１４の近くの上側及び左右横側から前方へ、注ぎ口部３の上側の空間（図８の符号Ｓ参照）を基部から、基部と先端までの約半分までを囲む断面が略下向きコ字状の庇部２０が突設されている。庇部２０の先端端縁２１が平面的に見て中央が両側より凹んだ円弧状または楕円弧状に形成されている。
【００１４】
次に、図９を参照して上記した実施例の作用を説明する。
使用時、栓体１０Ａを開栓側に回してオス螺子部１１をメス螺子部５から螺退させて容器本体１から外し（図７参照）、コーヒードリッパーからコーヒーを容器本体１にドリップさせたのち、栓体１０Ａを閉栓側に回てオス螺子部１１をメス螺子部５に螺進させて容器本体１に装着する。この際、メス螺子部５とオス螺子部１１に設けたストッパ構造（図示せず）により、螺進の最後に栓体１０Ａの液吐出口１４が注ぎ口部３の基部に正対するように位置決めされる。
保温ポットに貯液さたコーヒーは真空二重壁構造の容器本体１により、高温状態で保存される。
【００１５】
コーヒーカップに注ぐ場合、取っ手２を掴んで保温ポットを持ち上げ、操作レバー１７を押し下げて弁１６を開弁させながら、栓体１０Ａの液流入口１２、内部液通路１５、液吐出口１４を経て注ぎ口部３からコーヒーカップに注げばよい。注ぎ終わったら、操作レバー１７の押し下げを解放すると、圧縮バネ１９が弁１６を閉弁させる。
【００１６】
ここで液吐出口１４から出たコーヒーは最初、庇部２０の下側内面２０ａと注ぎ口部３の基部寄りの上側内面３ａに当接して整流されなが庇部２０の先端端縁２１から先の注ぎ口部３から外部に流出する。従って、容器本体１の中のコーヒーが少なくなり、保温ポットの傾斜角を大きくしてコーヒーを注いでも、液吐出口１４からいきなり空中に飛び散ったり、液吐出口１４から出たコーヒーの他の一部が注ぎ口部３の基部寄りの底面に当たって跳ね返り、空中に飛び散ったりせず、庇部２０と注ぎ口部３の基部寄りの間の空間Ｓで整流された状態で外部に流出し、コーヒーカップ外側へのこぼれが生じにくくなる（図９のＣ参照）。庇部２０の先端端縁２１が平面的に見て中央が左右両側より凹んだ円弧状または楕円弧状の弧状に形成されているので、注ぎ口部３から流出するコーヒーの流束は断面が楕円に近く、これによっても、コーヒーカップ外側へのこぼれが生じにくくなる。
【００１７】
この実施例によれば、栓体１０Ａの液吐出口１４の近くから前方へ突出されて注ぎ口部３の上側の空間を基部から先端側の途中まで囲む庇部２０を設け、注ぎ口部３の基部と庇部２０の間の空間に液吐出口１４が開口するようにしたので、液吐出口１４から出た液体は最初、庇部２０の下側内面２０ａと注ぎ口部３の基部寄りの上側内面３ａに当接して整流されながら注ぎ口部３の前部から外部に流出する。従って、容器本体１の中の液体が少なくなり、保温ポットの傾斜角を大きくして注いでも、液吐出口１４からいきなり空中に飛び散ったり、注ぎ口部３の基部寄りの底面に当たって跳ね返り、空中に飛び散ったりせず、庇部２０と注ぎ口部３の基部寄りの間の空間Ｓで整流された状態で外部に流出する。
また庇部２０の先端端縁２１が平面的に見て中央が左右両側より凹んだ弧状に形成されているので、注ぎ口部３から流出するコーヒーの流束は断面が楕円に近く、これによっても、コーヒーカップ外側へのこぼれが生じにくくなる。
【産業上の利用可能性】
【００１８】
この考案は、コーヒーサーバー、卓上ポットなどに適用可能である。
【符号の説明】
【００１９】
１  容器本体
２  取っ手
３  注ぎ口部
４  肩部材
１０Ａ  栓体
１２  液流入口
１４  液吐出口
１５  内部液通路
１６  弁
１７  操作レバー
２０  庇部
２１  先端端縁
【図１】
0003218886.tif 000003
【図２】
0003218886.tif 000004
【図３】
0003218886.tif 000005
【図４】
0003218886.tif 000006
【図５】
0003218886.tif 000007
【図６】
0003218886.tif 000008
【図７】
0003218886.tif 000009
【図８】
0003218886.tif 000010
【図９】
0003218886.tif 000011